(57)【要約】【課題】揺動動作とその揺動動作とは異なる動作の組み合わせによって、より効果的なリラックス効果を付与することができるリラックス装置を提供する。【解決手段】揺動動作の周波数及び振幅が予め設定される複数のコースから選択可能な操作部４０と、複数の音楽情報とを記憶する記憶部４５と、音楽情報に応じて音を発生させるスピーカ３３と、使用者が選択したコースに対して音楽情報の内でどの音楽情報を再生するか決定する制御部２４とを有している。【選択図】図４
2010142493.tif 000002
【特許請求の範囲】
【請求項１】
使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、
前記揺動動作の周波数及び振幅が予め設定される複数のコースから選択可能な操作部と、
複数の音楽情報を記憶する記憶手段と、
前記音楽情報に応じて音及び振動の少なくとも一方を発生させる発生手段と、
前記使用者が選択したコースに対して前記音楽情報の内でどの音楽情報を再生するか決定する再生手段と
を有したことを特徴とするリラックス装置。
【請求項２】
請求項１に記載のリラックス装置において、
前記発生手段は、音を発生させるスピーカと、少なくとも前記身体支持手段の一部に対して低周波数の振動を発生させる低周波数振動部との少なくとも一方で構成されたことを特徴とするリラックス装置。
【請求項３】
請求項１又は２に記載のリラックス装置において、
外部音楽情報を入力できる外部入力手段が備えられており、
前記発生手段は、前記外部入力手段からの前記外部音楽情報に応じて音及び振動の少なくとも一方を発生可能に構成されたことを特徴とするリラックス装置。
【請求項４】
請求項３に記載のリラックス装置において、
前記外部音楽情報と前記記憶手段に記憶された前記音楽情報とを前記使用者の操作によって切り替え可能な切替手段が設けられたことを特徴とするリラックス装置。
【請求項５】
請求項３に記載のリラックス装置において、
前記再生手段は、前記外部音楽情報と前記記憶手段に記憶された前記音楽情報に対し、前記外部音楽情報が入力されていること判断すると、前記外部音楽情報を優先して前記発生手段から音及び振動の少なくとも一方を発生するように構成されたことを特徴とするリラックス装置。
【発明の詳細な説明】
【技術分野】
【０００１】
本発明は、使用者にリラックス効果を付与するリラックス装置に関するものである。
【背景技術】
【０００２】
従来、使用者にリラックス効果を付与するリラックス装置として例えば特許文献１に開示されており、このリラックス装置は使用者の身体を着座状態若しくは寝た状態で支持する身体支持部材を揺動駆動装置にて緩やかに揺動させて、使用者にリラックス効果を付与するものである。
【特許文献１】特開２０００−４２１１２号公報
【発明の開示】
【発明が解決しようとする課題】
【０００３】
ところで、上記リラックス装置では、身体支持手段を揺動動作させることで使用者に対してリラックス効果を付与しているが、揺動動作のみでのリラックス効果だけではその効果が低く、より効果的にリラックス効果を付与できるリラックス装置の開発が望まれている。
【０００４】
本発明は、上記課題を解決するためになされたものであって、その目的は、揺動動作とその揺動動作とは異なる動作の組み合わせによって、より効果的なリラックス効果を付与することができるリラックス装置を提供することにある。
【課題を解決するための手段】
【０００５】
上記課題を解決するために、請求項１に記載の発明は、使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、前記揺動動作の周波数及び振幅が予め設定される複数のコースから選択可能な操作部と、複数の音楽情報とを記憶する記憶手段と、前記音楽情報に応じて音及び振動の少なくとも一方を発生させる発生手段と、前記使用者が選択したコースに対して前記音楽情報の内でどの音楽情報を再生するか決定する再生手段とを有したことをその要旨とする。
【０００６】
この発明では、揺動動作の周波数及び振幅が予め設定される複数のコースから選択可能な操作部と、複数の音楽情報とを記憶する記憶手段と、音楽情報に応じて音及び振動の少なくとも一方を発生させる発生手段と、使用者が選択したコースに対して音楽情報の内でどの音楽情報を再生するか決定する再生手段とを有している。つまり、再生手段により記憶手段内に予め記憶される複数の音楽情報の内でどの音楽情報が再生されるか決定されることで、発生手段から前述の再生される音楽情報に応じた音若しくは振動が発生されるため、コースに応じた音及び振動の少なくとも一方を使用者に提供することができる。そのため、例えば従来の揺動動作によるリラックス効果に加え、その揺動動作に同調した音及び振動の少なくとも一方によって使用者により効果的なリラックス効果を付与することが可能となる。
【０００７】
請求項２に記載の発明は、請求項１に記載のリラックス装置において、前記発生手段は、音を発生させるスピーカと、少なくとも前記身体支持手段の一部に対して低周波数の振動を発生させる低周波数振動部との少なくとも一方で構成されたことをその要旨とする。
【０００８】
この発明では、発生手段は、音を発生させるスピーカと、少なくとも身体支持手段の一部に対して低周波数の振動を発生させる低周波数振動部との少なくとも一方で構成される。このように、スピーカ及び低周波数振動部の少なくとも一方で構成することで、使用者に対して、コースに応じた音及び振動の少なくとも一方を使用者に提供することができる。そのため、例えば従来の揺動動作によるリラックス効果に加え、その揺動動作に同調した音及び振動の少なくとも一方によって使用者により効果的なリラックス効果を付与することが可能となる。
【０００９】
請求項３に記載の発明は、請求項１又は２に記載のリラックス装置において、外部音楽情報を入力できる外部入力手段が備えられており、前記発生手段は、前記外部入力手段からの前記外部音楽情報に応じて音及び振動の少なくとも一方を発生可能に構成されたことをその要旨とする。
【００１０】
この発明では、外部音楽情報を入力できる外部入力手段が備えられており、発生手段は、外部入力手段からの外部音楽情報に応じて音及び振動の少なくとも一方を発生可能に構成される。つまり、外部入力手段を設け、外部入力手段を介して入力される外部音楽情報に応じた音及び振動の少なくとも一方が発生されることで、従来の揺動動作によるリラックス効果に加え、例えば使用者が好みの音楽を聴いてリラックス効果を付与することが可能となる。また、外部音楽情報に応じた振動が発生されるため、使用者の好みの低周波振動を提供することが可能となる。
【００１１】
請求項４に記載の発明は、請求項３に記載のリラックス装置において、前記外部音楽情報と前記記憶手段に記憶された前記音楽情報とを前記使用者の操作によって切り替え可能な切替手段が設けられたことをその要旨とする。
【００１２】
この発明では、外部音楽情報と記憶手段に記憶された音楽情報とを使用者の操作によって切り替え可能な切替手段が設けられる。つまり、外部音楽情報と、記憶手段に記憶された音楽情報とを使用者の操作によって切り替え可能な切替手段が設けられることで、使用者によって外部音楽情報と予め記憶された音楽情報（内部音楽情報）とを自由に選択することができるため、容易に切り替えでき、例えば本装置使用の際の気分によって変更できる。
【００１３】
請求項５に記載の発明は、請求項３に記載のリラックス装置において、前記再生手段は、前記外部音楽情報と前記記憶手段に記憶された前記音楽情報に対し、前記外部音楽情報が入力されていること判断すると、前記外部音楽情報を優先して前記発生手段から音及び振動の少なくとも一方を発生するように構成されたことをその要旨とする。
【００１４】
この発明では、再生手段により、外部音楽情報と前記記憶手段に記憶された音楽情報に対し、外部音楽情報が入力されていること判断されると、外部音楽情報を優先して発生手段から音及び振動の少なくとも一方が発生されるように構成される。このため、外部音楽情報と予め記憶された音楽情報（内部音楽情報）との切り替え操作を行うことなく、容易に外部音楽情報を利用することができる。
【発明の効果】
【００１５】
本発明によれば、揺動動作とその揺動動作とは異なる動作の組み合わせによって、より効果的なリラックス効果を付与することができるリラックス装置を提供することができる。
【発明を実施するための最良の形態】
【００１６】
以下、本発明を具体化した一実施形態を図面に従って説明する。
図１は、本実施形態のリラックス装置の概略構成図を示す。図１に示すように、リラックス装置１０は、その基台１１の底部１１ａが図示しない床面に載置されるとともに、基台１１に設けられた揺動駆動手段としての揺動駆動装置１２と該揺動駆動装置１２により揺動される身体支持手段としての身体支持部材１３とを備えている。
【００１７】
揺動駆動装置１２は、モータ２０と、減速機２１と、クランク機構２２と、リンク部材２３とから構成されている。
モータ２０は、基台１１の底部１１ａ上面に設けられるとともに、前記底部１１ａ上面に設けられる制御手段及び再生手段としての制御部２４によりその駆動が制御されている。減速機２１は、基台１１の底部１１ａ上面に設けられるとともに、前記モータ２０と駆動連結され、モータ２０の駆動力を減速出力するものである。また、モータ２０には、エンコーダ等の位置センサ（図示略）が設けられており、その位置センサはその回転数及び回転位置を検出するようになっている。
【００１８】
クランク機構２２は、クランク部材２２ａとロッド部材２２ｂとから構成されるとともに、減速機２１の回転駆動を半径の極めて大きな円弧運動に変換するものである。クランク部材２２ａは、その基端が減速機２１の出力軸と一体回転可能に接続されるとともに、その先端がロッド部材２２ｂの基端と回転可能に接続されている。ロッド部材２２ｂの先端は、身体支持部材１３が固定される四角枠状のベース部２５の下部と接続されている。
【００１９】
前記基台１１には、その底部１１ａから上方向に突設される支持枠１１ｂが備えられており、２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。
【００２０】
ベース部２５の上部には、椅子型の身体支持部材１３を構成する座部３０がベース部２５と一体移動可能に固定されており、この身体支持部材１３は、座部３０の後側に背もたれ部３１が、座部３０の前側にオットマン３２がそれぞれ一体的な構成をなしている。身体支持部材１３は、平面視において背もたれ部３１の後部側で使用者の頭部を支持する頭部支持部３１ａから使用者の腕を含む腰部側を支持する腰部支持部３１ｂにかけて次第に幅広、つまり、腰部支持部３１ｂの幅Ｘは頭部支持部３１ａの幅Ｙよりも広くなるように形成されている。そして、身体支持部材１３は、腰部支持部３１ｂの側の前部側及び座部３０の後部側からオットマン３２の先端側にかけて次第に幅狭となって、全体的に曲線状に形成されている。また、図２に示すように頭部支持部３１ａの上部両側には発生手段としての計２つのスピーカ３３が設けられている。
【００２１】
図１及び図２に示すように、身体支持部材１３の背もたれ部３１の側面には図示しない操作部ホルダにより着脱可能に支持される操作部４０が設けられている。また、身体支持部材１３の座部３０の側面３０ａには、電源供給路をオンオフ切替可能な主電源スイッチ４１と外部音源４２（図４参照）から外部音楽情報が入力可能な外部入力手段としての外部音源入力端子４３が設けられており、座部３０の上面３０ｂ側には制御部２４からの制御信号にて振動可能に構成される低周波数振動部としての振動トランスデューサ４４が設けられている。
【００２２】
操作部４０には、図３に示すように、その側面に切替手段としての音源切替部４０ａが設けられている。そして、その音源切替部４０ａによって、記憶手段としての記憶部４５（図４参照）に予め記憶された複数の内部音楽情報と、主電源スイッチ４１に隣接配置される外部入力手段としての外部音源入力端子４３によって入力される外部音源４２との内でどちらの音楽を使用するか切り替え選択が可能となっている。尚、図３では、実線にて記憶部４５に記憶された内部音楽情報が選択された状態を示し、破線にて外部音源４２からの外部音楽情報が選択された状態を示している。
【００２３】
操作部４０には、図３に示すように、コース選択スイッチ５０、スイング調整スイッチ５１、リクライニング角度調整スイッチ５２、音量調整スイッチ５３、振動調整スイッチ５４、エアバッグ調整スイッチ５５及び始動スイッチ５６等、静電センサからなるセンサ部５７（図４参照）を備えて構成される各種スイッチ５０〜５６と、各種スイッチ５０〜５６を点灯表示及び非点灯可能な表示部５８とを備えている。
【００２４】
コース選択スイッチ５０は、記憶部４５に予め揺動動作の周波数及び振幅が設定された図示しないコーステーブルによって決定される複数のコース（本実施形態では、コースＡ、コースＢ、コースＣ及びコースＤの計４コース）の内から選択できるように複数のスイッチ５０ａ，５０ｂ，５０ｃ，５０ｄで構成されており、各スイッチ５０ａ〜５０ｄの選択によって、図４に示すように複数の揺動パターン（コース）が設定されたコース選択部６０から所定の制御信号が制御部２４に出力されるようになっている。
【００２５】
スイング調整スイッチ５１は、図４に示すように身体支持部材１３の揺動動作の速度（周波数）を調整する速度調整部６１と、揺動動作の振幅を調整する振幅調整部６２と電気的に接続されており、スイング調整スイッチ５１が使用者により操作されることで身体支持部材１３の揺動動作の速度（周波数）及び振幅が３段階で変化されるようになっている。
【００２６】
リクライニング角度調整スイッチ５２は、使用者により操作されることで、図４に示すようにリクライニング調整の制御信号がリクライニング調整部６３を介して制御部２４に出力されるようになっており、その信号を受けた制御部２４はリクライニング駆動部１３ａを適宜制御して、身体支持部材１３のリクライニング角度を調整するようになっている。
【００２７】
音量調整スイッチ５３は、スピーカ３３の音量を調整するためのものであり、本実施形態では５段階の音量調整が可能となっている。また、振動調整スイッチ５４は、図１及び図２に示す振動トランスデューサ４４の振動度を調整するためのものであり、本実施形態では５段階の振動調整が可能となっている。また、エアバッグ調整スイッチ５５は、図示しないエアバッグの膨張量などを変更させるためのものであり、本実施形態では、５段階の膨張量の調整が可能となっている。また、始動スイッチ５６は、リラックス装置１０を始動可能状態と始動不能状態とに切り替えるためのものであり、始動スイッチ５６が操作されて始動可能状態とすることで、制御部２４による各部の制御が可能な状態となる。
【００２８】
表示部５８は、操作部４０のケースの透過室内にＬＥＤ素子が内蔵されて構成されており、各スイッチ５０〜５６の内部と、各スイッチ５１，５３，５４，５５によって現時点での動作状態を示すべく設けられたレベル報知部５１ａ，５３ａ，５４ａ，５５ａとに設けられている。
【００２９】
次に、上記の様に構成されたリラックス装置１０の動作について図１〜図５を用いて説明する。
本実施形態のリラックス装置１０では、上記操作部４０のコース選択スイッチ５０によって揺動動作の周波数の異なる複数の（本実施形態では４つの）コースが設定されており、コース選択スイッチ５０の操作によって、制御部２４は、揺動駆動装置１２を駆動して身体支持部材１３のリラックス揺動を実施するコース単独、若しくはそのリラックス揺動とスピーカ３３から発せられる音楽とを連動するコース等、各種のコースが設定されている。その中で、リフレッシュ機能を有するリラックス揺動コースがある。この作動モードでは、先ず使用者に対してリラックス効果を付与する「リラックス揺動」と、その「リラックス揺動」から「リフレッシュ揺動」へと切り替わって作動モードが終了するようになっている。また、本実施形態では、リラックス揺動コースの［コースＡ］と［コースＢ］について図５を中心として説明する。尚、図５（ａ）には各コースＡ，Ｂの揺動動作の周波数の変化を示し、図５（ｂ）には各コースＡ，Ｂの音楽のテンポの変化を示し、図５（ｃ）には各コースＡ，Ｂの音楽の音程の変化を示し、各図実線にて［コースＡ］を示すとともに１点鎖線にて［コースＢ］を示している。
【００３０】
［コースＡ］
先ず、制御部２４は、操作部４０からコースＡの選択がなされたことを示す信号が入力されると、使用者を覚醒状態からリラックス状態に導くように、身体支持部材１３の揺動動作の揺動間隔（周波数）を例えば０．２５Ｈｚから開始し、所定時間Ｔ１までの間で０．１Ｈｚとなるように０．２５Ｈｚから０．２Ｈｚ、０．２Ｈｚから０．１Ｈｚと段階的に変化させるべくモータ２０を制御してリラックス揺動を行う。この時、制御部２４は、操作部４０の音源切替部４０ａの状態に応じた信号を受けて、記憶部４５に記憶された内部音楽情報若しくは外部音源４２のいずれかを選択するようになっており、例えば内部音楽情報の内で、所定時間Ｔ１まで所定の音楽情報Ｉをスピーカ３３から出力させるようになっている。
【００３１】
そして、所定時間Ｔ１経過後、所定時間Ｔ２まで、制御部２４は、前記の最終動作、つまり身体支持部材１３をコースＡの周波数の下限値である周波数０．１Ｈｚとなるようにモータ２０を制御し、使用者を更にリラックス状態から催眠状態となるように揺動を続ける。また、所定時間Ｔ１，Ｔ２間では、制御部２４は、前述の音楽情報Ｉよりもテンポの緩やかな音楽情報Ｊをスピーカ３３から出力させるようになっている。
【００３２】
所定時間Ｔ２経過後、制御部２４は、使用者を睡眠状態（リラックス状態）から覚醒状態へと導くように、揺動動作の周波数を０．１Ｈｚから０．２Ｈｚ、０．２Ｈｚから０．３Ｈｚとなるように段階的に変化させるべくモータ２０を制御してリフレッシュ揺動を行う。この時、制御部２４は、前記音楽情報Ｊよりもテンポが速く、前記音楽情報Ｉよりも音程が高めの音楽情報Ｋをスピーカ３３から出力させるようになっている。
【００３３】
［コースＢ］
一方、操作部４０からコースＢの選択がなされたことを示す信号が入力されると、先ず、制御部２４は、使用者を覚醒状態からリラックス状態に導くように、身体支持部材１３の揺動動作の揺動間隔（周波数）を例えば０．３５Ｈｚから開始し、所定時間Ｔ１までの間で０．２Ｈｚまで０．０５Ｈｚ刻みで段階的に変化されるようにモータ２０を制御してリラックス揺動を行う。この時、制御部２４は、所定時間Ｔ１まで前記音楽情報Ｉよりもテンポが速い音楽情報Ｌをスピーカ３３から出力させるようになっている。
【００３４】
そして、所定時間Ｔ１経過後、所定時間Ｔ２まで、制御部２４は、前記の最終動作、つまり身体支持部材１３をコースＢの周波数の下限値である周波数０．２Ｈｚとなるようにモータ２０を制御し、使用者を更にリラックス状態から催眠状態となるように揺動を続ける。また、所定時間Ｔ１，Ｔ２間では、制御部２４は、前記音楽情報Ｌよりもテンポが緩やかで前記音楽情報Ｊよりも音程の高めな音楽情報Ｍをスピーカ３３から出力させるようになっている。
【００３５】
所定時間Ｔ２経過後、制御部２４は、使用者を睡眠状態（リラックス状態）から覚醒状態へと導くように、揺動動作の周波数を０．２Ｈｚから０．３Ｈｚ、０．３Ｈｚから０．４Ｈｚ、０．４Ｈｚから０．６Ｈｚとなるように段階的に変化させるべくモータ２０を制御してリフレッシュ揺動を行う。この時、この時、制御部２４は、操作部４０の音源切替部４０ａの状態に応じた信号を受けて、記憶部４５に記憶された内部音楽情報若しくは外部音源４２のいずれかを選択するようになっており、例えば内部音楽情報の内で、前記音楽情報Ｍ及び音楽情報Ｋよりもテンポが速く音程も高めの音楽情報Ｎをスピーカ３３から出力させるようになっている。
【００３６】
上述したように、本実施形態のリラックス装置１０では、再生手段としての制御部２４により、各揺動コースＡ，Ｂに合わせて内部音楽情報が選択され、発生手段としてのスピーカ３３を介して音楽が発生されるように構成されているため、コースに応じた音（音楽）を使用者に提供することができる。そのため、例えば従来の揺動動作によるリラックス効果に加え、その揺動動作に同調した音（音楽）によって使用者により効果的なリラックス効果を付与することが可能となる。また、例えば、各コースにおいて外部音源４２からの外部音楽情報を使用することも可能に構成されているため、使用者の好みの音楽を聞きながらリラックス揺動を行うことが可能となり、使用者個々に合った効果的なリラックス効果を付与することが可能となる。
【００３７】
次に、本実施形態の特徴的な作用効果を記載する。
（１）揺動動作の周波数及び振幅が予め設定される複数のコースＡ〜Ｄから選択可能な操作部４０と、複数の音楽情報とを記憶する記憶部４５と、音楽情報に応じて音を発生させるスピーカ３３と、使用者が選択したコースに対して音楽情報の内でどの音楽情報を再生するか決定する制御部２４とを有している。つまり、制御部２４により記憶部４５内に予め記憶される複数の音楽情報の内でどの音楽情報が再生されるか決定されることで、スピーカ３３から前述の再生される音楽情報に応じた音が発生されるため、コースに応じた音を使用者に提供することができる。そのため、例えば従来の揺動動作によるリラックス効果に加え、その揺動動作に同調した音によって使用者により効果的なリラックス効果を付与することが可能となる。
【００３８】
（２）外部音楽情報を入力できる外部入力手段としての外部音源入力端子４３が備えられており、スピーカ３３は、外部音源入力端子４３から入力される外部音楽情報に応じて音を発生可能に構成される。つまり、外部音源入力端子４３を設け、外部音源入力端子４３を介して入力される外部音楽情報に応じた音が発生されることで、従来の揺動動作によるリラックス効果に加え、例えば使用者が好みの音楽を聴いてリラックス効果を付与することが可能となる。
【００３９】
（３）外部音楽情報と記憶部４５に記憶された音楽情報とを使用者の操作によって切り替え可能な音源切替部４０ａが設けられる。つまり、外部音楽情報と、記憶部４５に記憶された音楽情報とを使用者の操作によって切り替え可能な音源切替部４０ａが設けられることで、使用者によって外部音楽情報と予め記憶された音楽情報（内部音楽情報）とを自由に選択することができるため、例えば本装置１０使用の際の気分によって容易に切り替えできる。
【００４０】
尚、本発明の実施形態は、以下のように変更してもよい。
・上記実施形態では、各コースＡ，Ｂに合わせて音楽情報を変化させてスピーカ３３から音を発生（出力）させる構成としたが、この構成に加え、各コースＡ，Ｂに合わせて音楽情報を変化させ、その音楽情報に応じた低周波数（例えば１０Ｈｚ〜１００Ｈｚ）の振動を振動トランスデューサ４４から発生（出力）させる構成を採用してもよい。また、音の発生を省略させて振動のみ発生させる構成であってもよい。
【００４１】
・上記実施形態では、スピーカ３３を頭部支持部３１ａの上部両側に設ける構成としたが、その他の場所に設けてもよい。また、スピーカ３３を２つ設けたが、個数はこれに限らない。
【００４２】
・上記実施形態では、振動トランスデューサ４４を座部３０の上面３０ｂに設ける構成としたが、その他の場所に設けてもよい。また、振動トランスデューサ４４を１つ設けたが、個数はこれに限らない。
【００４３】
・上記実施形態では、外部音源４２の外部音楽情報と、記憶部４５に予め記憶された複数の内部音楽情報とを切り替え可能な音源切替部４０ａを操作部４０に設けたが、これに限らず、その他の場所に音源切替部４０ａを設けても良い。
【００４４】
・上記実施形態では、外部音源４２の外部音楽情報と、記憶部４５に予め記憶された複数の内部音楽情報とを切り替え可能に構成したが、切り替え不能な構成であってもよい。また、この場合、外部音源４２が外部音源入力端子４３に接続されたか否かを検知する図示しない検知センサを設けて、その検知センサを介して再生手段としての制御部２４により外部音源４２が接続されていると判断された場合に、外部音源４２（外部音楽情報）を優先して使用する構成であってもよい。このような構成とすることで、外部音源４２（外部音楽情報）を容易に使用することが可能となる。
【００４５】
・上記実施形態では、外部音源入力端子４３を設けて、外部音源４２を使用可能な構成としたが、外部音源入力端子４３を省略し、外部音源４２を使用不能な構成としてもよい。
【００４６】
・上記実施形態では、各コースＡ，Ｂの揺動動作の周波数に応じて音楽情報を切り替える構成を採用したが、揺動動作の振幅に応じて音楽情報を切り替える構成を採用してもよい。また、揺動動作の振幅及び周波数に応じて切り替える構成であってもよい。
【００４７】
・上記実施形態では、身体支持部材１３を前後方向に揺動させる構成としたが、これに限らず、例えば身体支持部材１３を左右方向に揺動させる構成としてもよい。
・上記実施形態では、特に言及していないが、身体支持部材１３の各部にエアバッグを設けて適宜膨縮動作を行ってマッサージ等のリラックス効果を付与する構成を採用してもよい。
【００４８】
・上記実施形態では、制御部２４にてモータ２０制御を行って、リラックス揺動後にリラックス揺動時よりも例えば揺動動作の周波数を漸増させるリフレッシュ揺動を行う構成としたが、リフレッシュ揺動はなくてもよい。
【図面の簡単な説明】
【００４９】
【図１】本実施形態におけるリラックス装置の概略構成図である。
【図２】リラックス装置の斜視図である。
【図３】リモコンの外観図である。
【図４】リラックス装置のシステム構成を説明するためのブロック図である。
【図５】（ａ）（ｂ）（ｃ）は、各コースの揺動動作の動作パターンと音楽との関係を説明するための説明図である。
【符号の説明】
【００５０】
１０…リラックス装置、１２…揺動駆動手段としての揺動駆動装置、１３…身体支持手段としての身体支持部材、２４…制御手段としての制御部、３３…スピーカ、４０…操作部、４４…低周波数振動部としての振動トランスデューサ、４５…記憶部、Ａ，Ｂ…コース。
【図１】
2010142493.tif 000003
【図２】
2010142493.tif 000004
【図３】
2010142493.tif 000005
【図４】
2010142493.tif 000006
【図５】
2010142493.tif 000007